(57)【要約】【課題】給紙装置による給紙作業について、低コストで容易に用紙の捌き力を調整できるようにして、用紙の種類に応じて確実に給紙できるようにする。【解決手段】用紙トレーの下流側で用紙を略水平に支持する上テーブル２０上面側に露出した摩擦板２２の表面と給紙ローラ２３の周面との間に積層した用紙を挟み込み上から一枚ずつ送出する給紙装置に装着され、摩擦板２２を上から覆って用紙下面側への摩擦抵抗による係止力を摩擦板２２とは異なるものに調整するものとした捌き力調整具１０において、上面の摩擦抵抗が摩擦板２２よりも大きな摩擦シート１１ａと、摩擦シート１１ａを上テーブル２０上面で給紙方向に移動不能に係止する係止構造とを備えており、給紙装置に装着することで用紙下面側への摩擦抵抗を増強するものとした。【選択図】図３
0003126986.tif 000002
【実用新案登録請求の範囲】
【請求項１】
用紙トレーの下流側で用紙を略水平に支持する上テーブル上面に露出した摩擦板の表面と給紙ローラの周面との間に積層した前記用紙を挟み込み上から一枚ずつ送出する給紙装置に装着され、前記摩擦板を上から覆って前記用紙下面側への摩擦抵抗による係止力を前記摩擦板とは異なるものに調整するための捌き力調整具において、
上面の摩擦抵抗が前記摩擦板よりも大きな摩擦シートと、前記摩擦シートを前記上テーブル上で前記摩擦板を給紙方向に移動不能に係止する係止構造とを備えており、前記給紙装置に装着することで前記用紙下面側への係止力を増強するものとした、
ことを特徴とする給紙装置の捌き力調整具。
【請求項２】
前記係止構造は、板状部材を側面視略Ｌ字状に屈曲してなり、前記係止構造の内角を形成する内側面のうち一方の面が前記摩擦シートの端部側を固定し他方の面が前記上テーブル上流側の垂直面に当接して係止する、ことを特徴とする請求項１に記載した給紙装置の捌き力調整具。
【請求項３】
前記係止部は、少なくとも前記内側面の一部に磁力発生部分を有しており、磁性体からなる前記上テーブルへの磁気吸着力で装着状態を補強する、ことを特徴とする請求項２に記載した給紙装置の捌き力調整具。
【請求項４】
前記摩擦シートは、ゴムシートの上面に所定の凹凸構造からなるパターンを設けて摩擦抵抗を強化したものである、ことを特徴とする請求項１，２または３に記載した給紙装置の捌き力調整具。
【請求項５】
前記パターンは、糸を織成又は編成してなる布の表面立体形状を表したものである、ことを特徴とする請求項４に記載した給紙装置の捌き力調整具。
【考案の詳細な説明】
【技術分野】
【０００１】
本考案は、給紙装置の捌き力調整具に関し、殊に、密着力が強く重送を招きやすい用紙を給紙する場合に、装着することで捌き力を増強して一枚ずつ確実に捌けるようにする、給紙装置の捌き力調整具に関する。  
【背景技術】
【０００２】
近年、複数種類の用紙を一枚ずつ自動的に重ねて丁合するための丁合機が、新聞折込広告、印刷、コピー機器等の分野で広く普及しており、様々な機能を備えたものが知られている。殊に、新聞折込広告用の丁合機（コレーター）においては、各々印刷内容が異なるだけでなく厚さ・紙質等が異なる複数種類の広告を、給紙ミスを招くことなく確実に丁合できる機能が要求されている。  
【０００３】
このような丁合機能を確保するため、例えば特開２００２−３０２２７３号公報に記載されているように、フリクションフィード方式による捌き機構を備えた給紙装置を丁合機に搭載することが知られており、例えば図４に示す一般的な新聞広告用の丁合機には、このような給紙装置２Ｃ，２Ｃ，２Ｃ・・・が縦方向に複数設けられた構成となっている。
【０００４】
その給紙装置２Ｃは、用紙の先端側を斜め下向きにして積載する給紙トレー（傾斜テーブル）２１を備え、その下流側に配置された補助ローラ２４で最上層の用紙を下流方向に送り、更に下流の給紙ローラ２３で上テーブル（ベース）２０上面の窓から露出した摩擦板（捌きチップ）２２との間に用紙を挟み込んで回転することにより、摩擦板２２の摩擦抵抗で二枚目以下の用紙の重送を防止しながら上から一枚ずつ確実に捌いて給紙するようになっている。
【０００５】
このような新聞広告用の丁合機においては、給紙する用紙の種類により要求される捌き力の度合いが様々に変動する。例えば、厚いチラシなど強力な捌きを必要としない用紙の場合は、摩擦抵抗の強い摩擦板２２を使用すると抵抗が強すぎて給紙ミスを招く頻度が増すことになる。そのため、樹脂フィルム製のチップ隠しと言われる捌き力調整具で摩擦板２２を覆うことで摩擦抵抗を減らすようにして、給紙抵抗を減らす手段が知られている。
【０００６】
一方、薄いチラシなど密着力が強く紙同士が剥がれにくい用紙では、通常の摩擦板では充分に捌くことができずに重送を招く頻度が高くなる。そこで、用紙の種類に応じて、摩擦抵抗の異なる複数種類の摩擦板の中から最適なものを選択して適宜交換する手段も知られている。
【０００７】
しかし、この場合、給紙する用紙の種類が変わる度に給紙装置の給紙軸を外し、テーブル内部の摩擦板を固定爪から外して交換する手間が必要となり、狭い部分においてこのような摩擦板の交換作業を実施することは使用者にとって大きな負担となる。
【特許文献１】特開２００２−３０２２７３号公報
【考案の開示】
【考案が解決しようとする課題】
【０００８】
本考案は、上記のような問題点を解決しようとするものであり、給紙装置について、低コストで容易に用紙の捌き力を増強できるようにして、用紙の種類に応じて確実に給紙できるようにすることを課題とする。
【課題を解決するための手段】
【０００９】
そこで、本考案は、用紙トレーの下流側で用紙を略水平に支持する上テーブル上面に露出した摩擦板の表面と給紙ローラの周面との間に積層した用紙を挟み込み上から一枚ずつ送出する給紙装置に装着され、その摩擦板を上から覆って用紙下面側への摩擦抵抗による係止力を摩擦板とは異なるものに調整するための捌き力調整具において、上面の摩擦抵抗が摩擦板よりも大きな摩擦シートと、この摩擦シートを上テーブル上で給紙方向に移動不能に係止する係止構造とを備えたものとし、給紙装置に装着することで用紙下面側への摩擦抵抗を増強するものとした。
【００１０】
このように、比較的簡単な構成で比較的低コストで作成できる本考案の捌き力調整具を給紙装置に装着するだけで、通常よりも強力な捌き力を必要とする用紙を給紙する場合に、用紙下面側への摩擦抵抗を調整して係止力を容易に増強できるものとなる。また、給紙トレー下流の上テーブル上に摩擦シートを載置する方式としたことにより、使用者にとって装着状態が見やすく装着方法も分かりやすいものとなって調整作業が容易なものとなる。
【００１１】
また、その係止部の係止構造を、板状部材を側面視略Ｌ字状に屈曲してなるものとし、その内角を形成する内側面のうち一方の面が摩擦シートの端部側を固定し他方の面が上テーブル上流側の垂直面に当接して係止するものとすれば、着脱操作が極めて容易なものとなる。この場合、捌き力調整具を使用しない場合はテーブルの角に沿って横にスライドさせた位置で保管し、使用時に中央の使用位置にスライドさせてセットできるため、着脱操作が極めて容易になるとともに不使用時に捌き力調整具の保管場所に困らないものとなる。
【００１２】
さらに、上述した係止部を、少なくともその内側面の一部に磁力発生部分を有するものとし、磁性体からなる上テーブルへの磁気吸着力で装着状態を補強するものとすれば、着脱作業の困難化を伴わずにより堅固に装着できるものとなる。
【００１３】
さらにまた、上述した捌き力調整具において、その摩擦シートをゴムシートの上面に所定の凹凸構造からなるパターンを設けて摩擦抵抗を強化したものとすれば、比較的容易に所望の強さの係止力を発揮させることができ、このパターンを、糸を織成又は編成してなる布の表面立体形状を表したものとすれば、優れた摩擦抵抗を発揮し易いとともにその作成も比較的容易なものとなる。
【考案の効果】
【００１４】
比較的簡単な構成からなる本考案により、特別な捌き力調整機構を持たない給紙装置であっても、比較的低コストで容易に捌き力を増強できるようになり、用紙の種類に応じて確実に給紙可能とすることができるものである。
【考案を実施するための最良の形態】
【００１５】
以下に、図面を参照しながら本考案を実施するための最良の形態を説明する。
【００１６】
図１は、本考案における実施の形態である給紙装置用の捌き力調整具１０の斜視図を示している。捌き力調整具１０は、厚さ１〜２ｍｍ程度の略長方形のゴム板からなる所謂ノンスリップシート（ノンスリップゴム）等の摩擦シート１１ａを有する摩擦部１１と、長方形の金属板の短辺中央部を中心に略直角に屈曲させ側面視Ｌ字状に形成した係止金具１２ａを有し摩擦シート１１ａの端部側上面を係止金具１２ａの内角を形成する一方の面に接着剤等で接着・固定して上テーブル２０上の所定位置に係止するための係止部１２とを備えている。
【００１７】
この係止金具１２ａは、摩擦シート１１ａを接着した面に対し略直角で使用時に垂直となる内側面に、磁性体に対し吸着力を発揮するラバー磁石等の平板状の磁石１２ｂが接着・固定されており、その内角を形成する両内側面をステンレスＳＵＳ４３０などからなる給紙装置の上テーブル２０上流側の上角部に密着するように吸着・固定させて、装着状態を補強するものとなっている。尚、係止金具１２ａ自体に着磁させて磁石としても同様に実施可能である。
【００１８】
図２の捌き力調整具１０の側面図を参照して、摩擦部１１を構成する摩擦シート１１ａは、その表面に糸を織成又は編成してなる布の表面立体形状を表した凹凸構造が型押し成型等の方法でパターン形成されており、表面が滑らかな一般的な捌き用摩擦板よりも捌き力を高めたものとなっている。また、摩擦シート１１ａは変形能に優れて係止する用紙の底面に密着しやすいことも相俟って、優れた効果を発揮できるようになっている。このように簡単な構成からなる捌き力調整具１０は、比較的低コストで簡易に作成できるものである。
【００１９】
そして、捌き力調整具１０を給紙装置２Ｃに装着する場合、図３の拡大した断面部分図に示すように、給紙トレー２１と上テーブル２０との間に形成される隙間において、係止金具１２ａの磁石１２ｂを設けた内側面を垂直にして上テーブル２０上流側端面に密着させるとともに、摩擦シート１１ａを設けた内側面を上テーブル２０上面に密着するように載置して、摩擦シート１１ａの末端側が上テーブル２０に露出した摩擦板２２を覆うように装着する。
【００２０】
そして、給紙装置２Ｃを駆動させることにより、摩擦板２２により下から支持された摩擦シート１１ａの上面と回転する給紙ローラ２３の周面との間で用紙を挟み込み、摩擦シート１１ａには下流に向かう付勢力がかかるが、鈎状構造をなす係止部１２の垂直の内側面が上テーブル２０の上流側端面に掛かってしっかりと係止される。
【００２１】
また、係止部１２の垂直の内側面に設けた平板状の磁石１２ｂにより、ステンレスＳＵＳ４３０等、稍磁性のあるステンレス鋼などで作成した上テーブル２０に磁気吸着するため、捌き力調整具１０の装着状態が補強されて極めて安定的なものとなり、且つ、ステンレスＳＵＳ４３０等の金属と磁石との間で発生する磁力が強すぎずに適度に弱いことから、使用・不使用を切換える際に給紙方向に対して直角の水平方向に捌き力調整具１０を移動させることが容易であり、しかも使用中にずれ動くことがない。
【００２２】
尚、比較的捌き易い用紙を給紙する場合など、捌き力調整具１０を使用しないときは上テーブル２０への装着位置からその角部に沿って水平方向にずらして給紙の妨げにならない位置で待機させた状態として保管すればよい。このようにすることで、同じ給紙装置２Ｃで捌き易さの異なる複数種類の用紙を比較的短時間の間に連続的に給紙する場合に、短時間で容易に捌き力の変更を行えるものとなり、また、これに加え、磁石１２ｂの吸着力により脱落・紛失を回避できるとともに捌き力調整具１０の保管場所に困らないものとなる。
【００２３】
さらに、摩擦部１１の摩擦シート１１ａは、少なくとも摩擦板２２上面と給紙ローラ２３周面とで用紙を挟んで押圧する位置に達する程度の長さが必要となるが、その長さを適宜調整して摩擦板２２を覆う面積を変更することによっても、摩擦抵抗による捌き力の強弱を適宜設定することができる。
【００２４】
以上述べたように、給紙装置について、比較的簡単な構成の本考案によりコストの高騰を伴うことなく用紙を捌く力を簡易に変更できるようになった。また、これにより給紙する用紙の種類に応じて容易に用紙を一枚ずつ確実に給紙できるものとなった。
【図面の簡単な説明】
【００２５】
【図１】本考案における実施の形態を示す斜視図。
【図２】図１の捌き力調整具の側面図及び拡大部分図。
【図３】図１の捌き力調整具を給紙装置に装着した状態を示す拡大した部分縦断面図。
【図４】従来例を示す縦断面部分図。
【符号の説明】
【００２６】
２Ｃ  給紙装置、１０  捌き力調整具、１１  摩擦部、１１ａ  摩擦シート、１２  係止部、１２ａ  係止金具、１２ｂ  磁石、２０  上テーブル、２１  給紙トレー、２２  摩擦板、２３  給紙ローラ
【図１】
0003126986.tif 000003
【図２】
0003126986.tif 000004
【図３】
0003126986.tif 000005
【図４】
0003126986.tif 000006